(57)【要約】【課題】電線の挿入を簡単かつ安全に行うことができ、電線と電線の接触面を多くして確実に接続できるようにすることができ、かつ電線の引っ張りに対して抜けにくくするが、挿入した電線を抜くときは簡単に抜けるようにしたジョイントコネクターを提供する。【解決手段】電線同士を接続するために用いるジョイントコネクターであって、両端から電線を挿入する円筒形をした金属性のジョイントプレートと、ジョイントプレートの両側に向かい合わせにして嵌挿する板状のロックばねとを有し、ジョイントプレートの両端から挿入した電線を、ロックばねをロック状態にして固着し、ジョイントプレートを介して電線を接続することを特徴とする。【選択図】図１
2011049019.tif 000002
【特許請求の範囲】
【請求項１】
電線同士を接続するために用いるジョイントコネクターであって、両端から電線を挿入する円筒形をした金属性のジョイントプレートと、前記ジョイントプレートの両側に向かい合わせにして嵌挿する板状のロックばねとを有し、前記ジョイントプレートの両端から挿入した電線を、前記ロックばねをロック状態にして固着し、前記ジョイントプレートを介して前記電線を接続することを特徴とするジョイントコネクター。
【請求項２】
前記ジョイントプレートは、中央部分の直径を両端の直径より大きくして保持部を形成し、その保持部に仕切りプレートを挿入し両側を隔離することを特徴とする請求項１記載のジョイントコネクター。
【請求項３】
前記ジョイントプレートは、電線を挿入してロックばねをロック状態にしたときに、ツメが電線に食いこんで電線とジョイントプレートを固着するロックプレートを有することを特徴とする請求項１記載のジョイントコネクター。
【請求項４】
前記ロックばねは、断面が略三角形をして内側に向かって付勢されることを特徴とする請求項１記載のジョイントコネクター。
【請求項５】
前記ロックばねは、内側に向かって付勢されたロック状態を、外側に向かって反発させて開放状態にする開閉レバーを備えたことを特徴とする請求項１記載のジョイントコネクター。
【請求項６】
前記ロックばねは、電線が挿抜される方向に向かってテーパー状の傾斜を有することを特徴とする請求項１記載のジョイントコネクター。
【請求項７】
前記ジョイントプレート及びロックばねは、両側面に電線挿入孔を有するケースに収納して絶縁保護することを特徴とする請求項１記載のジョイントコネクター。
【請求項８】
前記ケースは、前記ジョイントプレート及びロックばねを収納するために、前記ロックばねと同方向のテーパー状の傾斜を持った収納部を有することを特徴とする請求項７記載のジョイントコネクター。
【請求項９】
あらかじめ決められた極数に組み立てられた端子台であって、両端から電線を挿入する円筒形をした金属性のジョイントプレートと、前記ジョイントプレートの両側に向かい合わせにして嵌挿する板状のロックばねとを組み合わせたジョイントコネクターを複数個並列にして樹脂ケースで連結し、連結後ボルト・ナットで締め付けて組み立てたことを特徴とするジョイントコネクターを用いた端子台。
【発明の詳細な説明】
【技術分野】
【０００１】
本発明は、ビル等の工事現場において幹線を分岐させるため、幹線と幹線から分岐させる電線を接続するために用いるジョイントコネクター及び当該ジョイントコネクターを用いた端子台に関する。
【背景技術】
【０００２】
従来、電線と電線を接続するためには、直接電線同士を接続する方式と圧接端子や圧着端子等を用いて端子に挿入接続する方式がある。特に直接電線同士を接続する方式は、それぞれの電線端部より一定の幅寸法の被覆部を取り除き、露出した銅線に銅管スリーブを嵌挿して圧縮器でカシメて、それらの外周面をスリーブジョイントコネクターで一体に覆い、ビス止めし、その外周を絶縁体素材からなる被覆体で覆う被覆電線の接合方式が知られている（例えば、特許文献１参照）。
【０００３】
また、あらかじめ決められた極数に組み立てられた組端子台は、電源接続用の接続端子３０と、この電源から電力の供給を受ける種々の電子機器が接続される複数の機器接続用の接続端子３１とを一つの端子台本体３２に設けた構成である。そして、接続端子３０、３１は端子ねじ３５に四角形状のねじ座金３６を回転可能に装着した構成である。すなわち、端子台本体３２には、左右方向に所定の間隔をおいて、複数の端子台部３３が、その隣り合うものを絶縁用リブ３４で仕切って設けてあり、これらの端子台部３３の金属から成るベース部３３Ａにはねじ孔３８が形成してあって、端子台部３３には接続端子３０、３１がねじ止めしてある（例えば、特許文献２、従来の技術の項及び図８参照）。
【０００４】
そして、このような組端子台を出荷するには、すべての接続端子３０、３１をねじ孔３８にトルクドライバーで締め付けていたし、また、組端子台を使用する場合には、すべての接続端子３０、３１をドライバーで緩めた後に、電源接続用の接続端子３０に電源からのリード線を接続し、複数の機器接続用の接続端子３１に種々の電子機器のリード線を接続し、再度、接続端子３０、３１をドライバーで締めつけていた。
【先行技術文献】
【特許文献】
【０００５】
【特許文献１】登録実用新案第３１１６１１５号公報
【特許文献２】特開平１１−１２１０６９号公報
【発明の概要】
【発明が解決しようとする課題】
【０００６】
しかしながら、特許文献１に示した接合方式は、電線同士をビス止めしているので、電線の接続及び切り離しに手間と時間がかかるという問題があった。
【０００７】
また、特許文献２に示した端子台構造にあっては、電源接続用及び機器接続用の接続端子３０、３１のそれぞれの端子ねじ３５を緩めるかもしくは外し、配線後は再度、接続端子３０、３１のそれぞれの端子ねじ３５を締め付ける必要があることから、製造者側ではねじの締め付け工数がかかり、多数の接続端子３０、３１を有する端子台構造では製造コストが端子数に比例して上がるし、また、使用者側ではねじの緩め、締め付け作業が多く、電線接続作業の作業性が悪いという問題点があった。
【０００８】
本発明は上述の問題点を解決するものであり、電線の挿入を簡単かつ安全に行うことができ、電線と電線の接触面を多くして確実に接続できるようにすることができ、かつ電線の引っ張りに対して抜けにくくするが、挿入した電線を抜くときは簡単に抜けるようにしたジョイントコネクター及びそのジョイントコネクターを用いて電線接続作業の作業性を改善した端子台を提供することを目的とする。
【課題を解決するための手段】
【０００９】
上記目的を達成するため、請求項１の電線接続コネクターは、電線同士を接続するために用いるジョイントコネクターであって、両端から電線を挿入する円筒形をした金属性のジョイントプレートと、ジョイントプレートの両側に向かい合わせにして嵌挿する板状のロックばねとを有し、ジョイントプレートの両端から挿入した電線を、ロックばねをロック状態にして固着し、ジョイントプレートを介して電線を接続することを特徴とするものである。
【００１０】
また、請求項２のジョイントコネクターは、請求項１記載のジョイントコネクターであって、ジョイントプレートは、中央部分の直径を両端の直径より大きくして保持部を形成し、その保持部に仕切りプレートを挿入し両側を隔離することを特徴とするものである。
【００１１】
また、請求項３のジョイントコネクターは、請求項１記載のジョイントコネクターであって、ジョイントプレートは、電線を挿入してロックばねをロック状態にしたときに、ツメが電線に食いこんで電線とジョイントプレートを固着するロックプレートを有することを特徴とするものである。
【００１２】
また、請求項４のジョイントコネクターは、請求項１記載のジョイントコネクターであって、ロックばねは、断面が略三角形をして内側に向かって付勢されることを特徴とするものである。
【００１３】
また、請求項５のジョイントコネクターは、請求項１記載のジョイントコネクターであって、ロックばねは、内側に向かって付勢されたロック状態を、外側に向かって反発させて開放状態にする開閉レバーを備えたことを特徴とするものである。
【００１４】
また、請求項６のジョイントコネクターは、請求項１記載のジョイントコネクターであって、ロックばねは、電線が挿抜される方向に向かってテーパー状の傾斜を有することを特徴とするものである。
【００１５】
また、請求項７のジョイントコネクターは、請求項１記載のジョイントコネクターであって、ジョイントプレート及びロックばねは、両側面に電線挿入孔を有するケースに収納して絶縁保護することを特徴とするものである。
【００１６】
また、請求項８のジョイントコネクターは、請求項７記載のジョイントコネクターであって、ケースは、ジョイントプレート及びロックばねを収納するために、前記ロックばねと同方向のテーパー状の傾斜を持った収納部を有することを特徴とするものである。
【００１７】
また、請求項９のジョイントコネクターを用いた端子台は、あらかじめ決められた極数に組み立てられた端子台であって、両端から電線を挿入する円筒形をした金属性のジョイントプレートと、ジョイントプレートの両側に向かい合わせにして嵌挿する板状のロックばねとを組み合わせたジョイントコネクターを複数個並列にして樹脂ケースで連結し、連結後ボルト・ナットで締め付けて組み立てたことを特徴とするものである。
【発明の効果】
【００１８】
本発明のジョイントコネクターによれば、円筒形をした金属性のジョイントプレートと、ジョイントプレートの両側に向かい合わせにして嵌挿する板状のロックばねとを有し、ジョイントプレートの両端から挿入した電線を、ロックばねをロック状態にして固着し、ジョイントプレートを介して電線を接続するので、電線の挿入が簡単にでき、電線と電線の接触面が多くなり確実に接続することができる。
【００１９】
また、ジョイントプレートは、中央部分の直径を両端の直径より大きくして形成した保持部に仕切りプレートを挿入したので、ビル等の工事現場において、幹線と幹線から分岐させる電線を接続する際に発生する雨水や結露による水分を隔離することができる。
【００２０】
また、ジョイントプレートは、電線を挿入してロックばねをロック状態にしたときに、ツメが電線に食いこんで電線とジョイントプレートを固着するロックプレートを有するので確実に接続することができる。
【００２１】
また、ロックばねは、断面が略三角形をして内側に向かって付勢されるので簡単な構造でばね特性を得ることができる。
【００２２】
また、ロックばねは、内側に向かって付勢されたロック状態を、外側に向かって反発させて開放状態にする開閉レバーを備えたので挿入した電線を抜くときは簡単に抜くことができる。
【００２３】
また、ジョイントプレート及びロックばねは、両側面に電線挿入孔を有するケースに収納して絶縁保護するので安全に接続することができる。
【００２４】
また、ロックばね及びロックばねを収納するケースは、電線が挿抜される方向に向かって同方向のテーパー状の傾斜を有するので電線の引っ張りに対して抜けにくくすることができる。
【００２５】
さらに、本発明のジョイントコネクターを用いた端子台によれば、両端から電線を挿入する円筒形をした金属性のジョイントプレートと、ジョイントプレートの両側に向かい合わせにして嵌挿する板状のロックばねとを組み合わせたジョイントコネクターを複数個並列にして樹脂ケースで連結し、連結後ボルト・ナットで締め付けて組み立てたので電線接続作業の作業性を改善することができる。
【図面の簡単な説明】
【００２６】
【図１】本発明によるジョイントコネクターの一実施例を示す斜視図である。
【図２】同、ジョイントコネクターを構成するジョイントプレートを示し、（ａ）は一部切断した正面図、（ｂ）は平面図、（ｃ）は側面図である。
【図３】同、ジョイントコネクターを構成するロックばねを示し、（ａ）は正面図、（ｂ）は平面図、（ｃ）は側面図である。
【図４】同、ジョイントコネクターを収納するケースを示し、（ａ）は内部正面図、（ｂ）は平面図、（ｃ）は側面図である。
【図５】同、ジョイントコネクターの組立途中を示す斜視図である。
【図６】同、ジョイントコネクターを組み合わせてケースに収納した状態を示す内部斜視図である。
【図７】本発明によるジョイントコネクターの使用状態を示し、ケースの両側から挿入した電線を接続する状態の説明図である。
【図８】電線の端部処理状態を示し、（ａ）は処理前、（ｂ）は処理後の説明図である。
【図９】本発明によるジョイントコネクターを用いた端子台の組立構成図を示し、（ａ）は正面図、（ｂ）は平面図である。
【図１０】本発明によるジョイントコネクターを用いた端子台の組立完成図を示し、（ａ）は正面図、（ｂ）は内部平面図である。
【発明を実施するための形態】
【実施例】
【００２７】
以下、本発明によるジョイントコネクターの実施の形態を、図面を参照しながら具体的に説明する。
【００２８】
図１は、ジョイントコネクターＪＣの一実施例を示したもので、１０は円筒形をした金属製のジョイントプレートで、ジョイントプレート１０の両側に、断面が略三角形をして内側に向かって付勢された板状のロックばね２０を向かい合わせにして嵌挿する。略三角形をしたロックばね２０の両端部２１は間隙をもって垂直に折り曲げ、その間隙部分に開閉レバー３０を装着する。開閉レバー３０は９０度回転させることにより、内側に向かって付勢されたロックばね２０のロック状態を外側に向かって反発させて開放状態にするものである。
【００２９】
図２は、ジョイントコネクターＪＣを構成するジョイントプレート１０の詳細を示したもので、ジョイントプレート１０は、図２（ｂ）に示すように、金属製の円筒で中央部分１１の直径を左右両隣の円筒１２、１３の直径より若干大きくして保持部１４を形成している。左右両隣の円筒１２、１３は両端開口部１２ａ、１３ａを大きく広げた形状をしている。
【００３０】
保持部１４には、図２（ａ）に示すように、ある厚みを持った樹脂またはゴム製の仕切りプレート１５が挿入されジョイントプレート１０の左右両隣の円筒１２、１３を隔離する。ジョイントプレート１０の上面は、図２（ｂ）に示すように、全体に亘って１本の間隙１６が形成され、ジョイントプレート１０の下側面は、図２（ａ）、図２（ｃ）に示すように、上面の間隙１６に対して対称の位置に２本の間隙１７、１８が形成される。２本の間隙１７、１８は中央部分１１の保持部１４により分断され４本の間隙１７ａ、１７ｂ、１８ａ、１８ｂとなる。なお、ジョイントプレート１０を実際に製作するに当たり、１枚の金属板を筒状に曲折して形成する方法が一般的に採用される。
【００３１】
図３は、ジョイントコネクターＪＣを構成するロックばね２０の詳細を示したもので、ロックばね２０は、図３（ｃ）に示すように、断面が略三角形になるように板状鋼板を曲折して形成するため内側に向かって付勢されるバネ特性を有している。略三角形になるように曲折した両端部２１は間隙をもって垂直に折り曲げる。ロックばね２０の底面２２及び両側面２３、２４は、図３（ａ）、（ｂ）に示すように、テーパー状の傾斜２２ａ、２３ａ（不図示）、２４ａを有する。
【００３２】
図４は、ジョイントコネクターＪＣを収納するケース４０を示したもので、図４（ｂ）に示すように、縦方向に分割されたＬケース４０ａ、Ｒケース４０ｂからなる。ケース４０の内部は、図４（ａ）に示すように、ジョイントコネクターＪＣが収納できる収納部４１が設けられ、収納部４１の両側はジョイントプレート１０に嵌挿されたロックばね２０を収納するロックばね収納部４２、収納部４１の中央はジョイントプレート１０の保持部１４を収納する保持部収納部４３、収納部４１の上部は開閉レバー３０を収納する開閉レバー収納部４４に区分けされる。なお、ロックばね収納部４２はロックばね２０の傾斜２２ａ、２３ａ（不図示）、２４ａと同方向のテーパー状の傾斜４２ａを有する。ケース４０の両側面は、図４（ｃ）に示すように、電線を挿入する電線挿入孔４５を設けている。また、ケース４０の上面は、図４（ｂ）に示すように、開閉レバー３０を装着する開口部４６を設けている。
【００３３】
次に、ジョイントプレート１０とロックばね２０を組み合わせてジョイントコネクターＪＣを形成し、ケース４０に収納する過程を具体的に説明する。
【００３４】
図５は、ジョイントコネクターの組立途中を示したもので、ある厚みを持った樹脂またはゴム製の仕切りプレート１５を保持部１４に挿入したジョイントプレート１０の４本の間隙１７ａ、１７ｂ、１８ａ、１８ｂ（図２参照）に、図５に示すように、内側にツメを有するロックプレート１９ａとスプリング１９ｂを挿入し、断面が略三角形になるように板状鋼板を曲折して形成するロックばね２０をそのロックプレート１９ａとスプリング１９ｂの上から被せるようにして嵌挿する。ロックばね２０は内側に向かって付勢されるバネ特性を有しているので、ロックプレート１９ａとスプリング１９ｂは、ジョイントプレート１０から外れて落ちることはない。
【００３５】
また、内側に向かって付勢されたロック状態を、外側に向かって反発させて開放状態にするためにロックばね２０の垂直に折り曲げた両端部２１の間隙部分に開閉レバー３０を装着する。開閉レバー３０は上方に操作部３１、下方に脚部３２を有する。操作部３１により開閉レバー３０を９０度廻すと脚部３２が回転し、ロックばね２０の垂直端部２１の間隙が広がりロックばね２０を外側に向かって反発させて開放状態にする。操作部３１により開閉レバー３０を更に９０度廻すと脚部３２が回転してロックばね２０の垂直端部２１の間隙が元に戻りロックばね２０をロック状態にする。
【００３６】
図６は、ジョイントプレート１０、ロックばね２０、開閉レバー３０を組み合わせて形成したジョイントコネクターＪＣをケース４０の収納部４１に収納した状態を示したもので、ロックばね収納部４２、保持部収納部４３、開閉レバー収納部４４にジョイントコネクターＪＣのジョイントプレート１０、ロックばね２０、開閉レバー３０が支障なく収納することができる。
【００３７】
次に、本発明のジョイントコネクターＪＣを用いて電線５０と電線５０を接続する使用状態を、図７及び図８を用いて説明する。先ず、接続する電線５０は、図８に示すように、事前に電線５０の端部処理をする。即ち、図８（ａ）に示すように、電線５０の端部から一定の幅寸法の被覆部を取り除き、露出した銅線５１に銅管スリーブ５２を嵌挿する。続いて、図８（ｂ）に示すように、スリーブ圧縮ペンチにて銅管スリーブ５２を圧縮する。このように端部処理をすることによりジョイントプレート１０に電線５０を挿入する際の作業性を良好にすることができる。
【００３８】
端部処理した電線５０を、図７に示すように、ジョイントコネクターＪＣを収納したケース４０の両側から挿入するにあたり、ケース４０の上部に備えた開閉レバー３０の操作部３１を開放側に（９０度）廻すとロックばね２０の垂直端部２１の間隙に挿入された開閉レバー３０の脚部３２が回転し、垂直端部２１の間隙が広がりロックばね２０を外側に向かって反発させて開放状態にする。
【００３９】
上記の状態にしてケース４０の電線挿入孔４５からジョイントプレート１０の両側に電線５０を挿入し、開閉レバー３０をロック側に（９０度）廻すとロックばね２０の垂直端部２１の間隙に挿入された開閉レバー３０の脚部３２が回転し、ロックばね２０の垂直端部２１の間隙が元に戻り、ロックばね２０は内側に向かって付勢されるのでロックばね２０はロック状態となり、ロックプレート１９ａのツメが電線５０に食いこみ、電線５０とジョイントプレート１０を固着する。その結果、電線５０はジョイントプレート１０を介して接続される（図４、図５、図６、図７）。
【００４０】
このとき電線５０を引き抜こうとすると、ロックばね２０及びロックばねを収納するケース４０は、電線が挿抜される方向に向かってテーパー状の傾斜を有するので、ロックばね２０がケース４０のロックばね収納部４２に設けられた同方向のテーパー状の傾斜４２ａに沿って移動するため、電線の引っ張りに対して抜けにくくすることができる。
【００４１】
電線５０をジョイントコネクターＪＣから抜くときは、開閉レバー３０の操作部３１を開放側に（９０度）廻すとロックばね２０の垂直端部２１の間隙に挿入された開閉レバー３０の脚部３２が回転し、垂直端部２１の間隙が広がりロックばね２０を外側に向かって反発させて開放状態になるので、電線５０をジョイントコネクターＪＣから容易に抜くことができる。
【００４２】
次に、上記のジョイントコネクターＪＣを用いて電線接続作業の作業性を改善した端子台の実施例を説明する。図９は、本発明によるジョイントコネクターＪＣを用いた端子台の組立構成図を示したもの、図１０は、上記端子台の組立完成図を示したものである。
【００４３】
端子台は、円筒形をした金属性のジョイントプレート１０、ジョイントプレート１０の両側に向かい合わせにして嵌挿する板状のロックばね２０を組み合わせたジョイントコネクターＪＣと、あらかじめ決められた極数分のジョイントコネクターＪＣを連結する樹脂ケース６０とで構成され、例えば、図９（ａ）、（ｂ）に示すように、２極の端子台の場合、樹脂ケースは両端の樹脂ケース６１、６３と真中の樹脂ケース６２の３つからなる。即ち、２つのジョイントコネクターＪＣ１、ＪＣ２を並列にして、そのジョイントコネクターＪＣ１、ＪＣ２の間に樹脂ケース６２を置き、ジョイントコネクターＪＣ１の一端に樹脂ケース６１を、ジョイントコネクターＪＣ２の一端に樹脂ケース６３を置いて連結する。なお、樹脂ケース６１、６２、６３の内部もジョイントコネクターＪＣを構成するロックばねと同方向のテーパー状の傾斜を有する（図９（ｂ））。
【００４４】
樹脂ケース６１、６２、６３で連結後は、図１０に示すように、樹脂ケース６０の下端をボルト７０ａ、ナット７０ｂで締め付けて、端子台を組み立てる（図１０（ａ））。この端子台を用いて電源装置と電子機器を接続するには、電源装置からの電線をジョイントコネクターＪＣ１、ＪＣ２の一端から挿入する。次に、接続する電子機器からの電線をジョイントコネクターＪＣ１、ＪＣ２の他端から挿入する。
【００４５】
挿入するにあたっては、前述したように、開閉レバー３０を廻してロックばね２０を開放状態にする。電線５０を挿入したら開閉レバー３０を戻してロックばね２０をロック状態にする。ロックばね２０をロック状態にするとロックプレート１９ａのツメが電線５０に食いこみ、電線５０とジョイントプレート１０を固着する。さらに電線５０を引き抜こうとするとジョイントコネクターＪＣを構成するロックばねが樹脂ケース６１、６２、６３のテーパー状の傾斜に沿って移動するため、電線５０とジョイントプレート１０の固着度合いがさらに増し、確実に電線と電線を接続することができる。
【００４６】
以上説明したように、本発明のジョイントコネクターによれば、円筒形をした金属性のジョイントプレートの両端から挿入された電線をジョイントプレートを介して接続するので、電線の挿入が簡単にでき、電線と電線の接触面が多くなり確実に接続することができる。
【００４７】
また、本発明のジョイントコネクターを用いた端子台によれば、両端から電線を挿入する円筒形をした金属性のジョイントプレートと、ジョイントプレートの両側に向かい合わせにして嵌挿する板状のロックばねとを組み合わせたジョイントコネクターを複数個並列にして樹脂ケースで連結し、連結後ボルト・ナットで締め付けて組み立てたので電線接続作業の作業性を改善することができる。
【符号の説明】
【００４８】
ＪＣ  ジョイントコネクター
１０  ジョイントプレート
１１  中央部円筒
１２  左右両隣の円筒
１３  左右両隣の円筒
１４  保持部
１５  仕切りプレート
１６  上面の間隙
１７、１８  下側面の間隙
１９ａ  ロックプレート
１９ｂ  スプリング
２０  ロックばね
３０  開閉レバー
４０  ケース
４１  収納部
４２  ロックばね収納部
４３  保持部収納部
４４  開閉レバー収納部
４５  電線挿入孔
４６  開口部
５０  電線
６０、６１、６２、６３  樹脂ケース
７０ａ  ボルト
７０ｂ  ナット
【図１】
2011049019.tif 000003
【図２】
2011049019.tif 000004
【図３】
2011049019.tif 000005
【図４】
2011049019.tif 000006
【図５】
2011049019.tif 000007
【図６】
2011049019.tif 000008
【図７】
2011049019.tif 000009
【図８】
2011049019.tif 000010
【図９】
2011049019.tif 000011
【図１０】
2011049019.tif 000012